(57)【要約】【課題】本考案はイカ・タコの収容保冷を主目的とするクーラーボックスでありながら、釣り場において他の魚種についても即座に区分しながら分別収容できるクーラーボックスの提供を課題とする。【解決手段】開閉可能な断熱構造の蓋体２を開口部に備えた断熱構造の収容容器体１の内周壁部に内接して開口面に略平行な通気可能な構造の上下仕切り面３を有する枠体４を設け、該上下仕切り面３の一部が蝶番機構５により開閉可能な構造とする。【選択図】図１
0003115830.tif 000002
【実用新案登録請求の範囲】
【請求項１】
開閉可能な断熱構造の蓋体（２）を開口部に備えた断熱構造の収容容器体（１）の内部に嵌合して、開口面に略平行な通気可能な構造の上下仕切り面（３）を有する枠体（４）を設け、該上下仕切り面（３）の一部に開閉可能な開閉戸（６）を設けたことを特徴とする魚釣り用クーラーボックス。
【請求項２】
前記上下仕切り面（３）に設けた開閉戸（６）の一部が、さらに開閉可能な中折れ構造であることを特徴とする請求項１記載の魚釣り用クーラーボックス。
【請求項３】
開閉可能な断熱構造の蓋体（２）を開口部に備えた断熱構造の収容容器体（１）の内部に嵌合して、開口面に略平行な通気可能な構造の上下仕切り面（３）を有する枠体（４）を設け、該上下仕切り面（３）の一部に矩形筒（９）を形成したことを特徴とする魚釣り用クーラーボックス。
【請求項４】
開閉可能な断熱構造の蓋体（２）を開口部に備えた断熱構造の収容容器体（１）の内部に嵌合して、開口面に略平行な通気可能な構造の上下仕切り面（３）を有する枠体（４）を設け、該上下仕切り面（３）の両端部に矩形筒（９）を形成したことを特徴とする魚釣り用クーラーボックス。
【請求項５】
前記通気可能な構造の上下仕切り面（３）が全面にわたり複数の貫通孔を有するプラスチックス板または樹脂被覆の金網であることを特徴とする請求項１〜４記載のいずれかに記載の魚釣り用クーラーボックス。
【考案の詳細な説明】
【技術分野】
【０００１】
本考案は、魚釣り等に用いられる携帯式のクーラーボックスに関する。
【背景技術】
【０００２】
魚釣り等に用いられる携帯式のクーラーボックスは、箱状の収容容器部とこの容器部の上面開口部に開閉自在に取り付けた蓋部からなり、容器部および蓋部は共に内部に発泡スチロールなどの断熱材を有している。釣り時および魚の運搬時においては、このクーラーボックスの内部に、予め氷や保冷剤、冷水などを入れて使用する。
従来、このようなクーラーボックスの内部に機能を持たせたものとしては、保冷が必要な魚等を、氷が解けた水から分離しながら保冷するために、クーラーボックスの内にさらに箱型の内缶を設けたものがある（特許文献１参照）。
また、クーラーボックスの内部に左右の仕切りを設け、一方を魚収容部とし、他方を氷などの冷媒部とする提案もあるが、仕切により保冷効果が低下するため、通気性側面を有する「上下両面を開口した載頭四角錐型中空筒体」をクーラーボックス内部に挿入して魚を囲むようにした構造を提案したものがある（特許文献２参照）。
【特許文献１】特開２００２−１４５３５７号公報
【特許文献２】特開平０９−１８７２０３号公報
【考案の開示】
【考案が解決しようとする課題】
【０００３】
イカ・タコなどは、氷あるいは冷水との接触より肉質が硬くなると共に、氷や他の魚との接触はイカ・タコの墨吐きを促進し内部を汚すことから、クーラーボックス内において、氷あるいは冷水から完全に分離することが望ましい。
前記特許文献１に記載のクーラーボックスは、クーラーボックス内に箱型の内缶を設けているので、保冷が必要な魚と氷が解けた水とを分離する構造になっているが、イカ・タコと他の魚との区分収容が即座にできる構造にはなっていない。
また、特許文献２に記載のクーラーボックスは、保冷が必要な魚種を区分して収容する構造となっていない。
そこで、本考案は、イカ・タコの収容保冷を主目的とするクーラーボックスでありながら、イカ・タコと氷などとの分別収容や、他の魚種との分別収容ができるクーラーボックスを提供することを目的とする。
【課題を解決するための手段】
【０００４】
請求項１に記載の魚釣り用クーラーボックスは、
開閉可能な断熱構造の蓋体２を開口部に備えた断熱構造の収容容器体１の内部に嵌合して、開口面に略平行な通気可能な構造の上下仕切り面３を有する枠体４を設け、該上下仕切り面３の一部に開閉可能な開閉戸６を設けたことを特徴とする。
請求項２に記載の魚釣り用クーラーボックスは、請求項１において、
前記上下仕切り面３に設けた開閉戸６の一部が、さらに開閉可能な中折れ構造であることを特徴とする。
【０００５】
請求項３に記載の魚釣り用クーラーボックスは、
開閉可能な断熱構造の蓋体２を開口部に備えた断熱構造の収容容器体１の内部に嵌合して、開口面に略平行な通気可能な構造の上下仕切り面３を有する枠体４を設け、該上下仕切り面３の一部に矩形筒９を形成したことを特徴とする。
【０００６】
請求項４に記載の魚釣り用クーラーボックスは、
開閉可能な断熱構造の蓋体２を開口部に備えた断熱構造の収容容器体１の内部に嵌合して、開口面に略平行な通気可能な構造の上下仕切り面３を有する枠体４を設け、該上下仕切り面３の両端部に矩形筒９を形成したことを特徴とする。
請求項５に記載の魚釣り用クーラーボックスは、請求項１〜４のいずれかにおいて、
前記通気可能な構造の上下仕切り面３が全面にわたり複数の貫通孔を有するプラスチックス板または樹脂被覆の金網であることを特徴とする。
【考案の効果】
【０００７】
本考案の魚釣り用クーラーボックスは、釣りの現場において、クーラーボックス内において、イカ・タコを、氷や冷水、保冷剤や他の魚類から簡便に隔離して保冷することができる。
【考案を実施するための最良の形態】
【０００８】
本考案の一実施形態について詳細について、図面を参照しながら説明する。
（実施例１）
本考案のクーラーボックスの箱体構造は、断熱材からなる収容容器体１と、その開口部の側端に蝶番を介して取り付けられた断熱材からなる蓋体２とからなり、クーラーボックスの内部に魚等を分別して収容保冷するための枠体４がすっぽりはまるように配設されている。
図１に示す実施例１のクーラーボックスは、
開閉可能な断熱構造の蓋体２を開口部に備えた断熱構造の収容容器体１の内部に嵌合して、開口面に略平行な通気可能な構造の上下仕切り面３を有する枠体４を設け、該上下仕切り面３の一部に開閉可能な開閉戸６を設けたものである。
図１は、本考案のクーラーボックスの箱体構造を理解しやすいように、収容容器体１の底部１ａに載置して配設される枠体４を、開口部の上方に引っ張り出した状態を図示したものである（以下図２〜４も同じ）。
また、枠体４の上面に形成された上下仕切り面３の一部は、開閉戸６の一端が蝶番５によって取り付けられ、他の端部を上方へ持ち上げて折り曲げ開口可能な構造としている。
そして、開閉戸６を含む上下仕切り面３には、規則的又は不規則な配列をした複数の貫通孔が形成されている。
【０００９】
この通気可能な構造の上下仕切り面３の素材としては、本実施例のようなプラスチック板に限らず、樹脂被覆の金網などを使用しても良い。
クーラーボックスの使用時には、クーラーボックス内部の底部１ａには、氷や冷水、保冷剤などを入れるが、これらからの冷気がクーラーボックス内の対流を可能とすれば良く、貫通孔を有する上下仕切り面３の素材を、プラスチック板や金網に限定するものではない。
本考案のクーラーボックスにおいて、イカ・タコは枠体４の上下仕切り面３の上部において保冷収容し、氷や冷水、保冷剤などは、上下仕切り面３の開閉板枠６を開けて、枠体４内に投入する。また、イカ・タコ以外のその他の魚種も、枠体４内に保冷収容する。
【００１０】
本考案において、クーラーボックス内を上下仕切り面３で上下２つの室に分けるのは以下の理由からである。
すなわち、イカ・タコのように、氷や他の魚種に接触すると肉質が固くなったり墨を吐いたするものと、氷や他の魚種に接触しても何の変化も生じない魚があり、イカ・タコについて、氷や他の魚に接触しないようにすることは、釣果の品質保持とクーラーボックス内の墨汚染を出来るだけ少なくする上で非常に重要だからである。
本実施例のクーラーボックスは、イカ・タコの保冷収容を主目的とするクーラーボックスでありながら、釣り場において他の魚種についても即座に区分しながら分別収容できる。
【００１１】
（実施例２）
図２に示す実施例２のクーラーボックスは、
実施例１において、前記上下仕切り面３に設けた開閉戸６の一部が、さらに開閉可能な中折れ構造としたものであり、前記図１における開閉戸６の中ほどにさらに蝶番５ａを設け中折れ構造の開閉戸としたものである。
すなわち、開閉戸６を、２つの先端開閉戸６ａと中間開閉戸６ｂとし、中折れ構造としたものである。中折れ構造としたことにより、クーラーボックスの蓋体２を大きく開放しなくても、釣果を枠体４内に収容可能な構造とした。
【００１２】
（実施例３）
図３に示す実施例３のクーラーボックスは、
開閉可能な断熱構造の蓋体２を開口部に備えた断熱構造の収容容器体１の内部に嵌合して、開口面に略平行な通気可能な構造の上下仕切り面３を有する枠体４を設け、該上下仕切り面３の一部に矩形筒９を形成したものであり、
枠体４の上面に設けられた通気可能な構造の上下仕切り面３の片側（図３では左側）に、上下及び一側面が開放された矩形筒９を設けたものである。
矩形筒９は、三側面に立設隔壁７ａ、７ｂと、上方に開口部８が設けられており、収容容器体１の内壁とで区画されて四角形状の筒体を構成する。
この矩形筒９を設けることにより、枠体４の内部空間を開口部８を通じて上方に開口し、収容容器体１の下部に設けられた枠体４の内部に氷や冷水、保冷剤などを投入しやすくするとともに、イカ・タコ以外の他の魚を枠体４内に容易に収容可能な構造とした。
本実施例のクーラーボックスは、通気可能な構造の上下仕切り面３により収容容器体１の底部１ａに投入した氷や保冷剤の冷気がクーラーボックス内を対流するとともに、イカ・タコを氷や他の魚種と接触させることなく保冷収容できる。開口部面積分だけ上下仕切り面３の利用面積が小さくなるが常時開口しているので釣果をすばやく底部１に投入できる。
【００１３】
（実施例４）
図４に示す実施例４のクーラーボックスは、
開閉可能な断熱構造の蓋体２を開口部に備えた断熱構造の収容容器体１の内部に嵌合して、開口面に略平行な通気可能な構造の上下仕切り面３を有する枠体４を設け、該上下仕切り面３の両端部に矩形筒９を形成したものであり、
枠体４の左右両端部にそれぞれ隔壁７ａを立設し、枠体４の左右両端部において収容容器体１の内壁（クーラーボックスの三側面）と隔壁７ａ（一側面）で構成する矩形筒９を形成したものである。
枠体４を収容容器体１の長手方向中央部に嵌合した（すっぽりと嵌めこんだ）場合は、釣果の投入口となる矩形筒９は左右二つに分離された状態になる。
投入口（矩形筒９）は左右に分離して設けられるためそれぞれの投入口の面積は小さくなるが、釣果を左右両サイドから投入できる便利さがある。
図４に示す実施例４のように、クーラーボックスの蓋体２ａ、２ｂが二つに分離されそれぞれ独立して開口できる場合は、いずれの蓋体を開放しても釣果が枠体４内に簡易に投入できるので本実施例４は好適で４ある。
また、枠体４を収容容器体１の一方側の内壁に片寄せして嵌合した場合は、他方の矩形筒９の開口部面積が大きくなり大きな魚を投入する場合に好適である。本実施例４では、枠体４を、ボックス内を左右に自在に移動できるので、魚体の大きさに応じて手動で枠体４を移動し魚体を枠体４内に投入できる。
【産業上の利用可能性】
【００１４】
本考案のクーラーボックスは、氷、冷水、保冷剤に接触すると肉質が固くなったりして品質保持が難しいイカ・タコなどを容易に区分して保冷できるので、簡単な構造でありながらその利便性は高い。
【図面の簡単な説明】
【００１５】
【図１】本考案の実施例１のクーラーボックスの斜視図である。
【図２】本考案の実施例２のクーラーボックスの斜視図である。
【図３】本考案の実施例３のクーラーボックスの斜視図である。
【図４】本考案の実施例４のクーラーボックスの斜視図である。
【符号の説明】
【００１６】
１  ・・・  収容容器体
１  ・・・  底部
２  ・・・  蓋体
３  ・・・  上下仕切り面
４  ・・・  枠体
５、５ａ・  蝶番
６  ・・・  開閉戸
６ａ・・・  先端開閉戸、
６ｂ・・・  中間開閉戸
７ａ・・・  隔壁
７ｂ・・・  側面隔壁
８  ・・・  開口部
９  ・・・  矩形筒
【図１】
0003115830.tif 000003
【図２】
0003115830.tif 000004
【図３】
0003115830.tif 000005
【図４】
0003115830.tif 000006